(57)【要約】【目的】取り扱い説明書が無くとも操作の仕方が分かるようにする。【構成】ディジタル・スチル・カメラ１のヘルプ・スイッチが操作されると，カメラ１の機器情報，設定されている状態を示す操作状態情報等が携帯電話２０に送信される。機器情報等は，携帯電話２０からサーバ４０に送信される。サーバ４０には，カメラ１の機種および設定状態に応じた操作説明文データが記憶されている。サーバ４０において受信された機器情報等に対応した操作説明文データが検索により見つけられる。見つけられた操作説明文データがサーバ４０から携帯電話２０に送信される。操作説明文データによって表される説明が携帯電話２０の表示画面上に表示される。表示された説明文を見ることにより，カメラ１の操作の仕方が分かる。【選択図】　　図６
2004054820.tif 000002
【特許請求の範囲】
【請求項１】
電子機器と第１の通信装置と第２の通信装置とを含み，上記第１の通信装置は，上記電子機器および上記第２の通信装置のそれぞれと通信可能な通信システムにおいて，
上記電子機器は，
上記電子機器を識別する識別データを上記第１の通信装置に送信する第１の識別データ送信手段を備え，
上記第１の通信装置は，
上記電子機器の上記第１の識別データ送信手段から送信された識別データを上記第２の通信装置に送信する第２の識別データ送信手段を備え，
上記第２の通信装置は，
上記電子機器の使用説明文を表すデータを，上記電子機器の種類ごとに記憶する記憶手段，
上記第１の通信装置の上記第２の識別データ送信手段から送信された識別データによって特定される上記電子機器に対応した使用説明文を表すデータを，上記記憶手段の中から見つける検索手段，ならびに
上記検索手段による検索により見つかった使用説明文を表すデータを上記第２の通信装置に送信する送信手段を備え，
上記第１の通信装置および上記電子装置の少なくとも一方が，
上記第２の通信装置の上記送信手段から送信された使用説明文データによって表される使用説明文を出力する第１の出力手段を備えている，
通信システム。
【請求項２】
上記電子機器が，
上記電子機器の使用状態を表すデータを上記第１の通信装置に送信する第１の使用状態データ送信手段をさらに備え，
上記第１の通信装置が，
上記電子機器の上記第１の使用状態データ送信手段から送信された使用状態データを上記第２の通信装置に送信する第２の使用状態データ送信手段をさらに備え，
上記第２の通信装置の上記記憶手段は，
上記電子機器の使用説明文を表すデータを，上記電子機器の種類ごとに使用状態に対応して記憶するものであり，
上記第２の通信装置の上記検索手段は，
上記第１の通信装置の上記第２の識別データ送信手段から送信された識別データによって特定される上記電子機器に対応した使用説明文を表すデータのうち，上記第１の通信装置の上記第２の使用状態データ送信手段から送信された使用状態データによって表される使用状態に対応する使用説明文を表すデータを見つけるものである，
請求項１に記載の通信システム。
【請求項３】
上記電子機器の上記第１の使用状態データ送信手段は，
上記電子機器の使用状態の変化があったことに対応して，上記電子機器の使用状態を表すデータを上記第１の通信装置に送信するものである，
請求項２に記載の通信システム。
【請求項４】
上記第１の通信装置が，
上記電子機器の動作指令を入力する動作指令入力手段，および
上記動作指令入力手段から入力した動作指令を上記電子機器に送信する動作指令送信手段をさらに備え，
上記電子機器が，
上記第１の通信装置の上記動作指令送信手段から送信された動作指令に応じた動作をするように上記電子機器を制御する動作制御手段，
をさらに備えた請求項１に記載の通信システム。
【請求項５】
上記第２の通信装置は，
日時を計測する時計をさらに備え，
上記第２の通信装置の上記送信手段は，
上記第２の通信装置の上記検索手段による検索により見つかった使用説明文を表すデータおよび上記時計により計測された日時を表すデータの少なくとも一方を上記第１の通信装置に送信するものである，
請求項１に記載の通信システム。
【請求項６】
上記第１の通信装置が，
上記第２の通信装置の上記送信手段から送信された使用説明文を表すデータによって表される使用説明文の一部を出力する第２の出力手段，および
上記使用説明文の一部を表す使用説明文データを上記電子装置に送信する使用説明文データ送信手段，
をさらに備えた請求項１に記載の通信システム。
【請求項７】
サーバと通信可能な通信装置において，
電子機器を識別する識別データをサーバに送信する識別データ送信手段，および
上記サーバから送信された上記識別データによって特定される上記電子機器に対応した使用説明文データによって表される使用説明文を出力する出力手段，
を備えた通信装置。
【請求項８】
サーバと通信可能な通信装置において，
電子機器を識別する識別データをサーバに送信し，
上記サーバから送信された上記識別データによって特定される上記電子機器に対応した使用説明文データによって表される使用説明文を出力する，
通信装置の制御方法。
【発明の詳細な説明】
【０００１】
【技術分野】
この発明は，通信システムならびに通信装置およびその制御方法に関する。
【０００２】
【発明の背景】
ディジタル・スチル・カメラ，ムービ・ビデオ・カメラ，銀塩フイルムに被写体像を光学的に記録するカメラなどの電子機器は，多くの機能を持つようになってきている。多くの機能を持つことにより操作が複雑となっている。電子機器を操作するために取り扱い説明書が必要となる。取り扱い説明書が無ければ，操作方法が分からないことがある。
【０００３】
取り扱い説明書の内容をデータ化して（電子マニュアル・データ），電子マニュアル・データをメモリに記憶した電子機器も考えられている。電子マニュアル・データを読み出して，電子マニュアル・データによって表される説明文が電子機器に設けられている表示装置の表示画面上に表示される。
【０００４】
しかしながら，電子マニュアル・データを記憶するメモリが必要なので電子機器自体のコスト・アップの要因となる。また，メモリ容量には限りがあるので，メモリに記憶させる電子マニュアル・データのデータ量にも限りがある。結果的に詳しい説明文を表示させることはできないことがある。
【０００５】
【発明の開示】
この発明は，取り扱い説明書が無く，かつ電子マニュアル・データを電子機器自体に記憶させておかなくとも電子機器の操作の仕方が分かるようにすることを目的とする。
【０００６】
第１の発明は，電子機器（ディジタル・スチル・カメラ，ムービ・ビデオ・カメラ，銀塩フイルムに被写体像を光学的に記録するカメラ，オーディオ・プレイヤ，パーソナル・ディジタル・アシスタントなどを含む）と第１の通信装置（携帯電話，パーソナル・ハンディフォン・システムなどを含む）と第２の通信装置（たとえば，サーバ）とを含み，上記第１の通信装置は，上記電子機器および上記第２の通信装置のそれぞれと通信可能な通信システムについてのものである。
【０００７】
上記電子機器は，上記電子機器を識別する識別データを上記第１の通信装置に送信する第１の識別データ送信手段を備えている。また，上記第１の通信装置は，上記電子機器の上記第１の識別データ送信手段から送信された識別データを上記第２の通信装置に送信する第２の識別データ送信手段を備えている。また，上記第２の通信装置は，上記電子機器の使用説明文を表すデータを，上記電子機器の種類ごとに記憶する記憶手段，上記第１の通信装置の上記第２の識別データ送信手段から送信された識別データによって特定される上記電子機器に対応した使用説明文を表すデータを，上記記憶手段の中から見つける検索手段，ならびに上記検索手段による検索により見つかった使用説明文を表すデータを上記第２の通信装置に送信する送信手段を備えている。
【０００８】
さらに，上記第１の通信装置および上記電子装置の少なくとも一方が，上記第２の通信装置の上記送信手段から送信された使用説明文データによって表される使用説明文を出力する第１の出力手段を備えている。
【０００９】
この発明によると，上記電子機器から上記第１の通信装置に上記識別データが送信される。上記識別データが上記第１の通信装置において受信されると，上記第１の通信装置から上記第２の通信装置に送信される。上記第２の通信装置において識別データが受信されると，記憶手段に記憶されている使用説明文を表すデータの中から対応する種類の使用説明データが検索により見つけられる。見つけられた使用説明文データが上記第２の通信装置から上記第１の通信装置に送信される。
【００１０】
上記第１の通信装置において使用説明文データが受信される。上記第１の通信装置および上記電子機器の少なくとも一方には使用説明文データによって表される使用説明文（使用説明文は必ずしも文章だけでなく画像の中に文章を組み合わせたものであってもよい。したがって，使用説明文データはテキスト・データだけでなく画像データであってもよい。）を出力する第１の出力手段（使用説明文を表示する表示装置，使用説明文をプリントするプリンタなど）が設けられている。第１の通信装置に第１の出力手段が設けられている場合には，第１の通信装置から使用説明文が出力され，上記電子機器に第１の出力手段が設けられている場合には，使用説明文が出力される。
【００１１】
使用説明書が無くとも電子機器の使用方法が分かる。また，電子マニュアル・データを記憶させるためのメモリも電子機器内に不要なので電子機器自体のコスト・アップとなるのを未然に防止できる。上記第１の通信装置に表示装置が設けられている場合には，上記第１の通信装置の表示装置の表示画面上に使用説明文を表示させることにより，その使用説明文の表示を見ながら，電子機器を操作することができるようになる。
【００１２】
上記電子機器が，上記電子機器の使用状態を表すデータを上記第１の通信装置に送信する第１の使用状態データ送信手段をさらに備え，上記第１の通信装置が，上記電子機器の上記第１の使用状態データ送信手段から送信された使用状態データを上記第２の通信装置に送信する第２の使用状態データ送信手段をさらに備えてもよい。
【００１３】
この場合，上記第２の通信装置の上記記憶手段は，上記電子機器の使用説明を表すデータを，上記電子機器の種類ごとに使用状態に対応して記憶するものとなろう。また，上記第２の通信装置の上記検索手段は，上記第１の通信装置の上記第２の識別データ送信手段から送信された識別データによって特定される上記電子機器に対応した使用説明文を表すデータのうち，上記第１の通信装置の上記第２の使用状態データ送信手段から送信された使用状態データによって表される使用状態に対応する使用説明文を表すデータを見つけるものとなろう。
【００１４】
上記電子機器の使用状態に対応した使用説明文を表すデータが得られるようになる。これから使用するのに必要な情報が得られることとなる。
【００１５】
上記電子機器の上記第１の使用状態データ送信手段は，上記電子機器の使用状態の変化があったことに対応して，上記電子機器の使用状態を表すデータを上記第１の通信装置に送信するものが好ましい。
【００１６】
上記電子機器の使用状態が変化するごとに，対応する使用説明を表すデータが得られるようになる。
【００１７】
上記第１の通信装置が，上記電子機器の動作指令を入力する動作指令入力手段，および上記動作指令入力手段から入力した動作指令を上記電子機器に送信する動作指令送信手段をさらに備え，上記電子機器が，上記第１の通信装置の上記動作指令送信手段から送信された動作指令に応じた動作をするように上記電子機器を制御する動作制御手段をさらに備えてもよい。
【００１８】
上記電子機器の使用方法が分かるので，その使用方法に対応して上記第１の通信装置によって上記電子機器の動作指令を与えることができるようになる。
【００１９】
上記第２の通信装置は，日時を計測する時計をさらに備えてもよい。この場合，上記第２の通信装置の上記送信手段は，上記第２の通信装置の上記検索手段による検索により見つかった使用説明文を表すデータおよび上記時計により計測された日時を表すデータの少なくとも一方を上記第１の通信装置に送信するものが好ましい。
【００２０】
上記第１の通信装置が，上記第２の通信装置の上記送信手段から送信された使用説明文を表すデータによって表される使用説明文の一部を出力する第２の出力手段，および上記使用説明文の一部を表す使用説明文データを上記電子装置に送信する使用説明文データ送信手段をさらに備えるようにしてもよい。
【００２１】
使用説明文のすべてを上記電子機器または上記第１の通信装置から出力するのではなく，使用説明文の一部を上記電子機器から出力し，そのほかの一部を上記第１の通信装置から出力させることができる。使用説明文を表示させる場合などには，使用説明文を見やすいように表示させることができるようになる。
【００２２】
第２の発明はサーバと通信可能な通信装置において，電子機器を識別する識別データをサーバに送信する識別データ送信手段，および上記サーバから送信された上記識別データによって特定される上記電子機器に対応した使用説明文データによって表される使用説明文を出力する出力手段を備えていることを特徴とする。
【００２３】
第２の発明は，上記通信装置に適した制御方法も提供している。すなわち，この方法は，サーバと通信可能な通信装置において，電子機器を識別する識別データをサーバに送信し，上記サーバから送信された上記識別データによって特定される上記電子機器に対応した使用説明文データによって表される使用説明文を出力することを特徴とする。
【００２４】
第２の発明においても第１の発明と同様に，使用説明書が無くとも，またいわゆる電子マニュアル・データを上記電子機器自体に記憶させておかなくとも上記電子機器の使用説明文を出力することができるようになる。
【００２５】
【実施例の説明】
図１は，この発明の実施例を示すもので，通信システムの概要である。
【００２６】
通信システムは，ディジタル・スチル・カメラ１，携帯電話２０およびサーバ４０から構成されている。ディジタル・スチル・カメラ１と携帯電話２０とは赤外線などを利用して無線通信できるものである（ケーブルなどを用いた有線通信であったもよいのはいうまでもない）。携帯電話２０とサーバ４０とはネットワークを介して互いに通信可能である。
【００２７】
この実施例においては，サーバ４０にディジタル・スチル・カメラ１の操作説明文（使用説明文，取り扱い説明文）を表すデータが記憶されている。ディジタル・スチル・カメラ１から携帯電話２０にディジタル・スチル・カメラ１の操作説明文の要求指令が与えられると，携帯電話２０からサーバ４０にネットワークを介して操作説明文の要求指令が送信される。サーバ４０において，ディジタル・スチル・カメラ１に対応した操作説明文が見つけられ，操作説明文を表すデータがネットワークを介して携帯電話２０に送信される。携帯電話２０の表示装置の表示画面上に操作説明文が表示される。ユーザは，携帯電話２０の表示装置の表示画面上に表示された操作説明文を見ながら，ディジタル・スチル・カメラ１を操作することができるようになる。さらに詳しくは，以下の説明によって明らかとなろう。
【００２８】
図２は，ディジタル・スチル・カメラ１の電気的構成を示すブロック図である。
【００２９】
ディジタル・スチル・カメラ１の全体の動作は，ＣＰＵ１１によって統括される。
【００３０】
ディジタル・スチル・カメラ１には，各種モードを設定するスイッチ，シャッタ・レリーズ・ボタン等を含む操作スイッチ８が含まれている。この操作スイッチ８にヘルプ・スイッチ９も含まれている。このヘルプ・スイッチ９は上述したように，ディジタル・スチル・カメラ１の操作方法が分からなくなったときにディジタル・スチル・カメラ１のユーザによって操作されるものである。ヘルプ・スイッチ９が操作されることにより，上述したように操作説明文の要求指令がディジタル・スチル・カメラ１から携帯電話２０に送信される。操作スイッチ８から出力される操作信号はＣＰＵ１１に入力する。
【００３１】
また，ディジタル・スチル・カメラ１には日時を計測する時計１７も含まれている。
【００３２】
撮像レンズ２によって被写体像がＣＣＤ３の受光面上に結像する。操作スイッチ８により撮影モードが設定されると，ＣＣＤ３から被写体像を表す映像信号が出力され，サンプル・ホールド回路（相関二重サンプリング回路）４において相関二重サンプリングが行われる。サンプル・ホールド回路４から出力された映像信号は，アナログ／ディジタル変換回路５においてディジタル画像データに変換される。
【００３３】
ディジタル画像データは，メモリ・コントローラ６の制御のもとにメモリ１４に一時的に記憶される。ディジタル画像データは，メモリ１４から読み出され，信号処理回路１０において，ガンマ補正，色バランス調整などの所定の信号処理が行われる。信号処理されたディジタル画像データは，メモリ・コントローラ６の制御により表示装置７に与えられる。表示装置７の表示画面上に，撮像により得られた画像が表示される。
【００３４】
撮像モードが設定されているときに，シャッタ・レリーズ・ボタンが押されると，上述したのと同様にしてアナログ／ディジタル変換回路５から出力された画像データは，メモリ１４に一時的に記憶される。メモリ１４に記憶されたディジタル画像データは，信号処理回路１０において上述した所定の信号処理が行われ，再びメモリ１４に記憶される。画像データは，メモリ１４から再び読み出され圧縮／伸張回路１２に与えられ，データ圧縮される。
【００３５】
圧縮された画像データが，カード・インターフェイス１５を介してメモリ・カード１６に与えられる。ディジタル画像データがメモリ・カード１６に記録されることとなる。
【００３６】
再生モードが設定されると，メモリ・カード１６に記録されている圧縮画像データが読み出され，カード・インターフェイス１５を介して圧縮／伸張回路１２に与えられる。圧縮／伸張回路１２おいて伸張された画像データがメモリ・コントローラ６により表示装置７に与えられる。メモリ・カード１６に記録されている画像データによって表される画像が表示装置７の表示画面上に表示されることとなる。
【００３７】
また，メモリ１４には，ディジタル・スチル・カメラ１の機種を識別するための機器情報（メーカ名，型番など）も格納されている。
【００３８】
ディジタル・スチル・カメラ１には，携帯電話２０と通信するための通信インターフェイス（端末間インターフェイス）１３も含まれている。上述したようにヘルプ・スイッチ９が操作され，操作信号がＣＰＵ１１に入力すると，ＣＰＵ１１から操作説明文要求指令が発生する。また，メモリ１４から機器情報も読み出される。さらに，ディジタル・スチル・カメラ１の現在の操作状態（設定状態）が検出される。操作説明文要求指令，機器情報および操作状態を表すデータが通信インターフェイス１３から携帯電話２０に送信される。
【００３９】
通信インターフェイス１３により，携帯電話２０から送信されたデータ等を受信することもできる。通信インターフェイス１３により受信したデータは，メモリ１４に与えられ，一時的に記憶される。データは，メモリ・コントローラ６によりメモリ１４から読み出され，表示装置７に与えられる。表示装置７の表示画面上にデータによって表される画像，文章等が表示される。
【００４０】
図３は，携帯電話２０の電気的構成を示すブロック図である。
【００４１】
携帯電話２０の全体の動作は，ＣＰＵ２４によって統括される。
【００４２】
携帯電話２０には，ダイアリングのためのキー・パッド，その他のボタンを含む操作スイッチ２２が含まれている。この操作スイッチ２２から出力される操作信号は，ＣＰＵ２４に入力する。また，携帯電話２０には，表示装置２３が含まれており，この表示装置２３の表示画面上に画像，文章などが表示される。さらに，携帯電話２０には，データを一時的に記憶するメモリ２５が含まれている。
【００４３】
他の電話との接続が確立すると，マイクロフォン３１に入力する音声は，音声信号に変換されて変調回路３０に入力する。変調回路３０において変調された音声信号は，送受信回路（公衆回線インターフェイス）２７を介してアンテナ２６に与えられる。アンテナ２６からネットワークを介して他の電話に送信される。
【００４４】
他の電話から送信された音声信号は，アンテナ２６を介して送受信回路２７において受信される。受信された音声信号は，復調回路２８において復調され，スピーカ２９に与えられる。スピーカ２９から，音声信号によって表される音声が出力される。
【００４５】
携帯電話２０にもディジタル・スチル・カメラ１と通信するための通信インターフェイス（端末間インターフェイス）２１が含まれている。上述のようにしてディジタル・スチル・カメラ１から送信された操作説明文要求指令等を表すデータは，通信インターフェイス２１において受信される。受信した操作説明文要求指令等を表すデータが送受信回路２７を介してアンテナ２６に与えられ，サーバ４０に送信されることとなる。携帯電話２０とサーバ４０との間の接続が確立されていることはいうまでもない。
【００４６】
携帯電話２０は，音声信号の送受信だけでなく，画像データ，テキスト・データなどのデータの送受信もできる。画像データ等のデータが送信されてきた場合には，アンテナ２６を介して送受信回路２７において受信される。受信されたデータは，メモリ２５に与えられ，記憶される。メモリ２５からデータが読み出され，ＣＰＵ２４を介して表示装置２３に与えられることにより，データによって表される画像，文章などが表示される。
【００４７】
また，受信したデータ等をメモリ２５から読み出して通信インターフェイス２１に与えることにより，通信インターフェイス２１からディジタル・スチル・カメラ１に送信することもできる。
【００４８】
図４は，サーバ４０の電気的構成を示すブロック図である。
【００４９】
サーバ４０の全体の動作は，ＣＰＵ４５によって統括される。
【００５０】
サーバ４０には，キーボード，マウスなどを含む入力装置４９が含まれている。入力装置４９から出力される信号は，ＣＰＵ４５に入力する。また，サーバ４０には，時刻を計測する時計４１，データを記憶するメモリ４２，ネットワークを介して携帯電話２０等と通信するための通信回路４３が含まれている。
【００５１】
さらに，サーバ４０には，表示装置４４，ＣＤ−ＲＯＭ（コンパクト・ディスク−リード・オンリ・メモリ）にアクセスするためのＣＤ−ＲＯＭドライブ４６，データを記憶するハードディスク４８およびハードディスク４８にアクセスするためのハードディスク・ドライブ４７が含まれている。
【００５２】
ハードディスク４８には，上述した操作説明文を表すデータがディジタル・スチル・カメラの機種，操作状態などに対応して記憶されている。
【００５３】
図５は，ハードディスク４８に記憶されている操作説明を表すデータのデータ構造（ディレクトリ構造）を示している。
【００５４】
ハードディスク４８に記憶されているデータは，階層構造となっている。操作説明文データは，ディジタル・スチル・カメラの機種ごとに分かれている。さらに，機種ごとにディジタル・スチル・カメラ１の現在の操作状態ごとにデータが分かれている。操作状態も複数に階層化されている（図５に示す例では状態１から状態３までが示されている）。
【００５５】
上述したように携帯電話２０から，ディジタル・スチル・カメラ１の機器情報，操作状態情報が送信されることにより，そのディジタル・スチル・カメラ１の現在の操作状態に適した操作説明文を表すデータがサーバ４０のハードディスク４８から読み出すことができることが容易に理解できよう。読み出された操作説明文を表すデータが上述したようにサーバ４０から携帯電話２０に送信される。
【００５６】
図６は，ディジタル・スチル・カメラ１と携帯電話２０とサーバ４０との処理手順を示している。
【００５７】
ディジタル・スチル・カメラ１を操作していて操作方法が分からなくなったものとする。ここでは，ディジタル・スチル・カメラ１のユーザが白一色の基準被写体を撮像して白バランス調整する処理（カスタム白バランス調整）を行う途中で操作方法が分からなくなったものとする。
【００５８】
まず，ディジタル・スチル・カメラ１の操作スイッチ８と携帯電話２０の操作スイッチ２２とがそれぞれ操作され，ディジタル・スチル・カメラ１と携帯電話２０との通信準備が行われる。ディジタル・スチル・カメラ１と携帯電話２０との通信が確立すると，ディジタル・スチル・カメラ１のユーザによってディジタル・スチル・カメラ１のヘルプ・スイッチ９が操作される。すると，ディジタル・スチル・カメラ１から携帯電話２０に通信要求が送信され，ディジタル・スチル・カメラ１と携帯電話２０との通信が確立する。
【００５９】
ディジタル・スチル・カメラ１と携帯電話２０との通信が確立すると，ディジタル・スチル・カメラ１から携帯電話２０に，携帯電話２０から送信するサーバ４０の接続先情報が送信される。すると，携帯電話２０からサーバ４０に通信要求が行われ，携帯電話２０とサーバ４０との接続が確立する。
【００６０】
ディジタル・スチル・カメラ１と携帯電話２０および携帯電話２０とサーバ４０との通信接続が確立すると，ディジタル・スチル・カメラ１から携帯電話２０に，機器情報，操作状態情報および操作説明要求指令が送信される。
【００６１】
携帯電話２０において，ディジタル・スチル・カメラ１から送信された機器情報等が受信されると，受信された機器情報等が携帯電話２０からサーバ４０に送信される。
【００６２】
携帯電話２０から送信された機器情報等がサーバ４０において受信されると，サーバ４０のハードディスク４８に記憶されている操作説明文データのうち，機器情報によって特定されるディジタル・スチル・カメラ１であって，操作状態情報によって判別されるディジタル・スチル・カメラ１の操作状態に対応した操作説明文データが検索される。検索により見つけられた操作説明文データがサーバ４０から携帯電話２０に送信される。
【００６３】
サーバ４０から送信された操作説明文データが携帯電話２０において受信されると，携帯電話２０の表示装置２３の表示画面上にその操作説明文データによって表される操作説明文が表示されるようになる。
【００６４】
図７は，携帯電話２０の表示装置２３の表示画面２３（表示画面の符号も表示装置２３と同じ符号を付すことにする）に表示される操作説明の一例を示している。
【００６５】
表示画面２３には，カスタム白バランス処理の設定方法が表示されている。ユーザは，表示画面２３に表示されている説明を見ることによりカスタム白バランス処理の設定方法のやり方が分かる。ディジタル・スチル・カメラ１を操作している途中で，カスタム白バランス処理の設定方法が分からなくなった場合でも，取り扱い説明書を見ることなく，そのやり方が分かる。
【００６６】
表示画面２３には，上矢印ボタン３３，下矢印ボタン３４，左矢印ボタン３５および右矢印ボタン３５も表示されている。
【００６７】
携帯電話２０の操作スイッチ２２によって上矢印ボタン３３が指定されると，図５に示すデータ構造において表示画面２３に表示されている操作説明文と同一階層にある操作説明文であって１つ前の操作説明文が表示画面２３に表示されるようになる。同様に，下矢印ボタン３４が指定されると，表示画面２３に表示されている操作説明文と同一階層にある操作説明文であって１つ後の操作説明文が表示画面２３に表示されるようになる。左矢印ボタン３５が指定されると，表示画面２３に表示されている操作説明文の上の階層にある操作説明文が表示されるようになる。右矢印ボタン３６が指定されると，表示画面２３に表示されている操作説明文の下の階層にある操作説明文が表示されるようになる。それぞれの要求指令が携帯電話２０からサーバ４０に送信されるのはいうまでもない。
【００６８】
また，ディジタル・スチル・カメラ１には，いわゆる電子マニュアル・データを記憶するためのメモリが不要なので，ディジタル・スチル・カメラ１がコスト・アップとなることを抑えることができる。また，操作説明文は，ディジタル・スチル・カメラ１とは異なる携帯電話２０の表示装置２３の表示画面２３に表示されるので，ディジタル・スチル・カメラ１の操作に邪魔となってしまうことを未然に防止できる。もっとも，操作説明文データを携帯電話２０からディジタル・スチル・カメラ１に送信して，ディジタル・スチル・カメラ１の表示装置７の表示画面に表示してもよいのはいうまでもない。
【００６９】
カスタム白バランス処理の設定方法のみならず，そのほかの操作方法を表示することができるのはいうまでもない。また，特定の細かな操作方法だけでなく，撮影の仕方，再生の仕方などのようにおおざっぱな操作方法を表示することもできる。
【００７０】
その後，携帯電話２０の操作スイッチ８から操作説明の消去指令が与えられると携帯電話２０とサーバ４０との接続が切断される。また，携帯電話２０とディジタル・スチル・カメラ１との接続も切断される。
【００７１】
図８は，他の実施例を示すもので，ディジタル・スチル・カメラ１と携帯電話２０とサーバ４０との処理手順を示している。
【００７２】
この処理においてはディジタル・スチル・カメラ１のヘルプ・スイッチ９が操作されたことに応じてサーバ４０から携帯電話２０に操作説明文データが送信されるのは上述した実施例と同様であるが，携帯電話２０の表示画面２３に操作説明文が表示された後にディジタル・スチル・カメラ１の操作状態が変化したことに応じて再びその操作状態に対応した操作説明文データがサーバ４０から携帯電話２０に送信されるものである。
【００７３】
上述したように，ディジタル・スチル・カメラ１のヘルプ・スイッチ９の操作に応じて，サーバ４０から送信された操作説明文データによって表される操作説明文が携帯電話２０の表示画面２３上に表示される。その後，ディジタル・スチル・カメラ１に操作が行われ，操作状態が変化すると，その変化した状態を示す操作状態情報（操作状態情報２）が機器情報および操作説明要求指令とともにディジタル・スチル・カメラ１から携帯電話２０に送信される。
【００７４】
携帯電話２０において，ディジタル・スチル・カメラ１から送信された操作状態情報等が受信されると，その受信された操作状態情報等がサーバ４０に送信される。
【００７５】
サーバ４０において操作状態情報等が受信されると，その操作状態情報等に対応する操作説明文データがサーバ４０のハードディスク４８から検索される。検索により見つかった操作説明文データ（操作説明文データ２）がサーバ４０から携帯電話２０に送信される。
【００７６】
操作説明文データが携帯電話２０において受信されると，携帯電話２０の表示画面２３上にその操作説明文データによって表される操作説明文（操作説明文２）が表示されることとなる。ディジタル・スチル・カメラ１の操作に応じて対応する説明が携帯電話２０の表示されるので，ヘルプ・スイッチ９を操作することなく次の操作が分かる。
【００７７】
その後，ディジタル・スチル・カメラ１と携帯電話２０との接続および携帯電話２０とサーバ４０との接続が切断される。
【００７８】
図９は，他の実施例を示すもので，ディジタル・スチル・カメラ１と携帯電話２０とサーバ４０との処理手順を示している。
【００７９】
この処理は，携帯電話２０の操作によってディジタル・スチル・カメラ１の動作を設定するものである。
【００８０】
ディジタル・スチル・カメラ１のヘルプ・スイッチ９が操作されることにより，そのときのディジタル・スチル・カメラ１の操作状態に応じた説明が携帯電話２０の表示画面２３上に表示されるのは上述したのと同様である。携帯電話２０の表示画面２３に操作説明が表示されているときに，ユーザによって携帯電話２０の操作スイッチ２２からディジタル・スチル・カメラ１の操作指令が与えられると（たとえば，操作スイッチ２２に含まれるテン・キーパッドに第２の機能を持たせ，テン・キーパッドの各番号に対応してディジタル・スチル・カメラ１の操作指令が割り当てられよう），その与えられた操作指令を表す操作情報が携帯電話２０からディジタル・スチル・カメラ１に送信される。
【００８１】
携帯電話２０から送信された操作情報がディジタル・スチル・カメラ１において受信されると，その操作情報にしたがってディジタル・スチル・カメラ１のモード，設定等が変更させられる。その後，ディジタル・スチル・カメラ１と携帯電話２０との接続および携帯電話２０とサーバ４０との接続が切断される。
【００８２】
ディジタル・スチル・カメラ１を操作しなくとも携帯電話２０を用いてディジタル・スチル・カメラ１の設定等を変更することができる。携帯電話２０はユーザの近くにあるが，ディジタル・スチル・カメラ１はユーザの近くに無い場合に特に有効である。
【００８３】
図１０は，さらに他の実施例を示すもので，ディジタル・スチル・カメラ１と携帯電話２０とサーバ４０との処理手順を示している。図１１は，ディジタル・スチル・カメラ１の表示装置７の表示画面７（表示画面も表示装置と同じ符号を用いる）に表示される日時設定画像の一例である。
【００８４】
この処理は，ディジタル・スチル・カメラ１の日時設定が行われている状態（図１１参照）にディジタル・スチル・カメラ１のヘルプ・スイッチ９が押された場合のものである。
【００８５】
ヘルプ・スイッチ９が押されると，ディジタル・スチル・カメラ１から携帯電話２０に，ディジタル・スチル・カメラ１の現在の操作状態が日時設定であることを示す操作状態情報等が送信される。
【００８６】
ディジタル・スチル・カメラ１から送信された日時設定であることを示す操作状態情報等が携帯電話２０において受信されると，その受信した操作状態情報等がサーバ４０に送信される。
【００８７】
サーバ４０において，日時設定であることを示す操作状態情報等が受信されるとサーバ４０の時計４１が計測している日時が読み取られる。日時を表すデータがサーバ４０から携帯電話２０に送信される。
【００８８】
日時を表すデータが携帯電話２０において受信されると，その日時を表すデータは携帯電話２０からディジタル・スチル・カメラ１に送信される。
【００８９】
日時を表すデータがディジタル・スチル・カメラ１において受信されると，ディジタル・スチル・カメラ１の時計１７の時刻が，受信された日時データによって表される日時に設定されることとなる。ユーザが正確な時刻を知らなくとも正確な日時を設定できるようになる。
【００９０】
図１２は，さらに他の実施例を示すもので，ディジタル・スチル・カメラ１と携帯電話２０とサーバ４０との処理手順を示している。図１３は，ディジタル・スチル・カメラ１の表示画面７に表示される操作説明の一例である。
【００９１】
上述した実施例においては，操作説明は携帯電話２０の表示画面２３に表示されているが，図１２に示す例では，メインの操作説明文をディジタル・スチル・カメラ１の表示画面７に表示し，サブの操作説明文を携帯電話２０の表示画面２３に表示するものである。もっとも，サブの操作説明文をディジタル・スチル・カメラ１の表示画面７に表示し，メインの操作説明文を携帯電話２０の表示画面２３に表示するようにしてもよいのはいうまでもない。
【００９２】
上述したようにディジタル・スチル・カメラ１のヘルプ・ボタン９が操作されることに応じて，ディジタル・スチル・カメラ１の操作状態情報等がサーバ４０に送信される。サーバ４０において，操作状態情報等にもとづいて対応する操作説明文データが検索される。検索により見つかった操作説明文データがサーバ４０から携帯電話２０に送信される。
【００９３】
サーバ４０から送信された操作説明文データは，メイン説明文データとサブ説明文データとに分けることができる。メイン説明文データは，携帯電話２０からさらにディジタル・スチル・カメラ１に送信される。
【００９４】
ディジタル・スチル・カメラ１においてメイン説明文データが受信されると，そのメイン説明文データによって表されるメインの操作説明文（たとえば，カスタム白バランス自体の説明文）が，図１３に示すようにディジタル・スチル・カメラ１の表示画面７上に表示されることとなる。
【００９５】
また，携帯電話２０の表示画面２３には，サブ説明文データによって表されるサブ説明文が表示されるようになる（図７に示したようにカスタム白バランスの操作方法を示す文章）。
【００９６】
メイン説明は，ディジタル・スチル・カメラ１の表示画面７上に表示され，サブ説明は，携帯電話２０の表示画面上に表示されるので，より多くの説明を同時に得ることができるようになる。操作がやりやすくなる。
【００９７】
単なる操作説明文だけでなく，夏の時期であれば花火の撮影の仕方を操作説明として表示するなど季節や時間に応じた操作説明文を表示するようにしてもよい。
【００９８】
さらに，上述した実施例においては，操作説明文として文章が表示されているか，文章だけでなく画像を表示したり携帯電話２０のスピーカ２９から音声を出力するようにしてもよい。
【図面の簡単な説明】
【図１】通信システムの概要を示している。
【図２】ディジタル・スチル・カメラの電気的構成を示すブロック図である。
【図３】携帯電話の電気的構成を示すブロック図である。
【図４】サーバの電気的構成を示すブロック図である。
【図５】サーバのハードディスクに記憶されている操作説明文データの構造を示している。
【図６】通信処理手順を示している。
【図７】携帯電話に表示される操作説明文の一例である。
【図８】通信処理手順を示している。
【図９】通信処理手順を示している。
【図１０】通信処理手順を示している。
【図１１】ディジタル・スチル・カメラに表示される日時の一例である。
【図１２】通信処理手順を示している。
【図１３】ディジタル・スチル・カメラに表示されるメイン説明文の一例である。
【符号の説明】
１　ディジタル・スチル・カメラ（電子機器）
７，２３　表示装置
９　ヘルプ・ボタン
１０，２４，４５　ＣＰＵ
１３，２１　カード・インターフェイス
２０　携帯電話（第１の通信装置）
２６　アンテナ
２７　送受信回路
４０　サーバ（第２の通信装置）
４３　通信回路
４８　ハードディスク
【図１】
2004054820.tif 000003
【図２】
2004054820.tif 000004
【図３】
2004054820.tif 000005
【図４】
2004054820.tif 000006
【図５】
2004054820.tif 000007
【図６】
2004054820.tif 000008
【図７】
2004054820.tif 000009
【図８】
2004054820.tif 000010
【図９】
2004054820.tif 000011
【図１０】
2004054820.tif 000012
【図１１】
2004054820.tif 000013
【図１２】
2004054820.tif 000014
【図１３】
2004054820.tif 000015